(57)【特許請求の範囲】
【請求項１】
建物の設計に用いるＣＡＤシステムであって、
建物を構成する部品を格納する記憶手段と、
部品を図面上に配置して建物図面を生成する図面生成手段と、
建物に設けられる部品を積算して積算情報を取得する積算手段と、を備え、
前記積算手段は、入力必須部品パレット、未配置可部品パレット、積算部品パレットの３種類のパレットを少なくとも備え、
入力必須部品パレットには、建物に必ず配置される部品が選択可能に配列され、
未配置可部品パレットには、建物に通常配置される部品が数量とともに選択可能に配列され、
積算部品パレットには、図面に表れない部品が数量とともに配列され、
未配置可部品パレットにおける部品毎数量は、一棟当たりで配置されるであろう配置予定数量が入力されており、図面上に部品を配置した場合にパレット内の数量を減算するとともに、積算の際には、図面に配置した部品およびパレット内に残った部品の両方の数量をカウントすることを特徴とするＣＡＤシステム。
【請求項２】
請求項１に記載のＣＡＤシステムにおいて、
前記積算手段は、各パレットを建物仕様や設計条件毎にモジュール化して記憶手段に記憶させておき、設計の際にモジュール化した各パレットを読み出すことを特徴とするＣＡＤシステム。
【請求項３】
請求項１または請求項２に記載のＣＡＤシステムにおいて、
完成した図面から部品を読み込んで各パレットを作成し、作成したパレットを初期値として記憶手段に記憶するパレット作成手段を備えることを特徴とするＣＡＤシステム。
【請求項４】
請求項１から請求項３のいずれかに記載のＣＡＤシステムにおいて、
前記積算手段で取得した積算情報の一覧表を作成するとともに、一覧表の部品項目中、未配置可部品パレットのもので、かつ図面内に配置されていない部品に対して未配置フラグを表示する積算情報表示手段を備えることを特徴とするＣＡＤシステム。
【請求項５】
請求項１から請求項４のいずれかに記載のＣＡＤシステムにおいて、
前記積算情報に基づいて見積情報を取得する見積手段を備えることを特徴とするＣＡＤシステム。
【請求項６】
請求項１から請求項５のいずれかに記載のＣＡＤシステムにおいて、
前記記憶手段にある部品の部品情報を更新する部品情報更新手段を備えることを特徴とするＣＡＤシステム。
【発明の詳細な説明】
【技術分野】
【０００１】
本発明は、建物の設計に用いるＣＡＤシステムに関する。
【背景技術】
【０００２】
従来、建物の設計にはＣＡＤ（Computer Aided Design：コンピュータ支援設計）システムが導入されている（例えば特許文献１参照）。
特許文献１に記載のＣＡＤシステムは、基本設計およびその段階の周辺支援を行う基本設計システムを備え、この基本設計システムは、意匠設計サブシステム、積算サブシステムおよび業務サブシステムを有している。意匠設計サブシステムでは基本設計の内容を示す図面を作成し、積算サブシステムではこの図面に基づいて、使用される部品一覧等を示す積算リストを作成する。そして、業務サブシステムでは意匠設計サブシステムで作成した図面と積算サブシステムで作成した積算リストの内容に基づいて、発注書や建物建設の価格見積書を作成する。
【０００３】
【特許文献１】特許第３７３８０５０号公報
【発明の開示】
【発明が解決しようとする課題】
【０００４】
ところで、基本設計の初期段階では各種部品の配置が決まっていないことが多く、このような状況では意匠設計サブシステムの図面が未完成であることが多い。
しかしながら、特許文献１に記載のＣＡＤシステムでは、意匠設計サブシステムにおいて図面に各種部品を配置した状態、すなわち完成した状態にしないと、積算サブシステムで部品を積算することができなかった。そのため、正確な積算情報を得るためには設計作業に手間と時間がかかっていた。また、本来配置されるべき部品が図面に配置されていないと積算漏れが生じて正確な積算情報が得られないという問題があった。
【０００５】
本発明の目的は、設計図面に配置されていない各種部品をも含めた積算情報を取得することができるＣＡＤシステムを提供することである。
【課題を解決するための手段】
【０００６】
本発明のＣＡＤシステムは、建物の設計に用いるＣＡＤシステムであって、建物を構成する部品を格納する記憶手段と、部品を図面上に配置して建物図面を生成する図面生成手段と、建物に設けられる部品を積算して積算情報を取得する積算手段と、を備え、前記積算手段は、入力必須部品パレット、未配置可部品パレット、積算部品パレットの３種類のパレットを少なくとも備え、入力必須部品パレットには、建物に必ず配置される部品が選択可能に配列され、未配置可部品パレットには、建物に通常配置される部品が数量とともに選択可能に配列され、積算部品パレットには、図面に表れない部品が数量とともに配列され、未配置可部品パレットにおける部品毎数量は、一棟当たりで配置されるであろう配置予定数量が入力されており、図面上に部品を配置した場合にパレット内の数量を減算するとともに、積算の際には、図面に配置した部品およびパレット内に残った部品の両方の数量をカウントすることを特徴とする。
【０００７】
ここで、パレットとは、建物に使用される部品の一覧であり、部品の種類に応じて入力必須部品パレット、未配置可部品パレット、積算部品パレットに分類される。
この発明によれば、未配置可部品パレットに属する部品には、その数量を入力することができる。ここで入力する数量は、建物一棟あたりに配置予定の数量であり、図面に配置されていない部品の数量である。なお、未配置可部品パレットに属する部品を図面に配置すると、この数量がマイナスされる。積算される際には、未配置可部品パレットに表示された数量と、図面に配置された数量との両方が反映される。
したがって、図面を完成させていなくても、積算漏れを防止でき、多種多様な部品を配置する手間を省略することができるので設計作業の効率化を図ることができる。
【０００８】
本発明のＣＡＤシステムにおいて、前記積算手段は、各パレットを建物仕様や設計条件毎にモジュール化して記憶手段に記憶させておき、設計の際にモジュール化した各パレットを読み出すことが好ましい。
【０００９】
この発明によれば、積算手段では、記憶手段に登録済みのモジュール化された各パレットを読み出すので、建物仕様や設計条件に応じた各パレットを初期値として使用することができる。
したがって、読み込んだ各パレットを初期値として設計を開始できるので、短時間で設計できるとともに、より正確な見積書を作成することができる。
【００１０】
本発明のＣＡＤシステムにおいて、完成した図面から部品を読み込んで各パレットを作成し、作成したパレットを初期値として記憶手段に記憶するパレット作成手段を備えることが好ましい。
【００１１】
この発明によれば、既存の図面を用いて部品を読み込むだけで多種多様な建物使用および設計条件の各パレットを作成することができる。各パレットはモジュール化されて記憶手段に記憶されるので、設計を新しく開始する際には、これから設計する建物の仕様および設計条件に対応したパレットを読み込んで部品を図面に配置するだけでよい。したがって、設計作業の効率化を図ることができる。
【００１２】
本発明のＣＡＤシステムにおいて、前記積算手段で取得した積算情報の一覧表を作成するとともに、一覧表の部品項目中、未配置可部品パレットのもので、かつ図面内に配置されていない部品に対して未配置フラグを表示する積算情報表示手段を備えることが好ましい。
【００１３】
この発明では、積算された部品のうち、未配置可部品パレットに属し、かつ、未配置の部品には未配置フラグが表示されるので、どの部品が未配置であるかを一目で確認することができる。
したがって、未配置部品をすぐに確認でき、設計の進捗状況を簡単に把握することができる。また、次回設計する際には、未配置フラグが表示された部品を図面に配置すればよいので、効率よく設計を進めることができる。
【００１４】
本発明のＣＡＤシステムにおいて、前記積算情報に基づいて見積情報を取得する見積手段を備えることが好ましい。
【００１５】
積算情報には、建物一棟あたりに使用される部品の予定数量が積算されるので、図面を完成していなくても、より正確な見積書を作成することができる。
したがって、設計段階の早いうちから、施主に対してより正確な見積書を提示することができる。
【００１６】
本発明のＣＡＤシステムにおいて、前記記憶手段にある部品の部品情報を更新する部品情報更新手段を備えることが好ましい。
【００１７】
この発明では、記憶手段にある部品情報を更新することができる。例えば、販売終了となった部品に対して更新を行うと、その部品をパレットで使用する際には、その情報が表示される。
したがって、設計段階で部品情報をいち早く把握することができるため、効率よく設計を行うことができる。
【発明を実施するための最良の形態】
【００１８】
以下、本発明の実施形態を図面に基づいて説明する。
図１には、本実施形態の建物の設計に用いるＣＡＤシステム１０のブロック図が示されている。
【００１９】
ＣＡＤシステム１０は、基本設計およびその段階の周辺支援を行う基本設計システム１１と、生産設計およびその周辺支援を行う生産準備システム１２とで構成されている。
基本設計システム１１と生産準備システム１２とは、それぞれ操作入力を行うための画像表示装置（ビットマップ式ディスプレイ等）および入力装置（文字やコマンド入力用のキーボード、位置指定用のマウス、ライトペン、タブレット、デジタイザ等）を備えるとともに、作成した図面等の設計情報を出力するための印刷装置（プリンタ、プロッタ等）および記憶装置（磁気ディスク等）ないしは他のコンピュータシステムに接続する通信装置を備えている。これらはいずれも既存の機器から適宜選択されたものである。
【００２０】
［1.基本設計システム１１の構成］
基本設計システム１１は、施主１３の注文に基づいて設計担当者１４により操作されるものである。
このために、基本設計システム１１は、設計担当者１４が操作して基本設計の内容を示す各種図面を作成する意匠設計サブシステム２０と、意匠設計サブシステム２０で作成された各種図面に基づいて使用される部品一覧等を示す積算リストを作成する積算サブシステム３０と、意匠設計サブシステム２０で作成された各種図面と積算サブシステム３０で作成された積算リストに基づいて現場施工およびその部品の発注、建物の生産設計の発注等を手配するための発注書や建物建設の見積書を作成する業務サブシステム４０と、部品情報などを記憶する記憶手段５０と、記憶手段５０に記憶されている部品情報を更新する部品情報更新手段６０と、を備えている。
【００２１】
［1-1. 積算サブシステム３０の構成］
積算サブシステム３０は積算情報表示手段３１を備えている。
積算情報表示手段３１は、意匠設計サブシステム２０の積算手段２２で取得した積算情報に基づいて、必要な部品（例えば、指定された外壁の仕様の外壁パネルが何枚必要か、あるいは指定されたエアコン等の設置に付随して必要となる部品は何か等）の一覧表（積算リスト）を作成し、価格の小計ないし合計を計算する。また、積算リスト中の部品のうち、積算手段２２で未配置可部品パレット７２に属していた部品であり、かつ、図面に配置されていない部品については、未配置フラグを表示する。
この際、使用する部品の選択ないしは付随する部品の選択等にあたっては記憶装置５１が参照される。
【００２２】
［1-2. 業務サブシステム４０の構成］
業務サブシステム４０は見積手段４１を備えている。
見積手段４１は、各種図面および積算リストの情報に基づいて必要な発注等の業務をまとめ、基礎施工者および生産準備システム１２向けの発注書を作成するとともに、施主１３に提示するための見積書を作成し、発注等を行う。
意匠設計サブシステム２０で作成された各種図面、積算サブシステム３０で作成された積算リスト、および業務サブシステム４０で作成された発注書および見積書は、生産準備システム１２に送られる基本設計情報１１Ａとなる。
【００２３】
［1-3. 記憶手段５０の概要］
記憶手段５０は、部品情報を記憶する記憶装置５１を備えている。記憶装置５１は、意匠設計サブシステム２０での意匠設計、および積算サブシステム３０での積算処理の際に参照される。
記憶装置５１には、基本設計で使用できる部品情報、各種部品の積算情報、設計ルール等が蓄積されている。
【００２４】
部品情報は、建物の各種部品の情報であり、例えば、名称表示用データ等の種別情報や、大きさ表示用データ等の寸法情報、当該部品を図面に描画するための描画用データのほか、各部品固有の情報（例えば、販売終了など）が記憶されている。これらの部品情報は、親部品、子部品等の形で階層化、パッケージ化されており、例えば、親部品「Ａ型の窓」と指定すれば、子部品として「サッシ」、「取付枠」等が自動的に選択されるようになっている。
積算情報は、各種部品に必要なねじ等の品番や必要本数、単価等の積算情報である。
設計ルールには、特定の構造や部品の設置の際の取り扱い等の情報が含まれている。
【００２５】
［1-4. 部品情報更新手段６０の概要］
部品情報更新手段６０は、記憶装置５１に記憶された部品情報を更新するものである。
例えば、販売終了となった部品に、販売終了フラグをたてる。
【００２６】
［1-5. 意匠設計サブシステム２０の構成］
意匠設計サブシステム２０は、記憶装置５１に記憶された部品情報から適当な部品を選択して図面中に配置する図面作成手段２１と、建物に設けられる部品の積算情報を取得する積算手段２２と、積算手段２２で得られるパレットを記憶装置５１に記憶するパレット作成手段２３と、を備えて構成されている。
【００２７】
図面作成手段２１は、外部操作により画面表示される画像を見ながら部品選択や位置指定を行うことで各種図面を作成するものである。
各種図面として、例えば、平面図、基礎伏図、屋根状図、配線図、立面図、パース図などがあり、これらの各種図面を作成するための各セクションを備えている。具体的には、平面図セクション、基礎伏図セクション、屋根状図セクション、配線図セクション、立面図セクション、パース図セクションを備えている。このうち、平面図以外の各セクションには外部操作とともに、先に生成した平面図の情報が参照されるようになっている。例えば、基礎伏図において、全体の概略形状は平面図で指定した部品の配置に準じて自動設定され、これにより重複した入力操作を省略できる等となっている。
【００２８】
平面図セクションは、図２に示すように、操作画面に表示された空白の図画像１００に対し、建物１１０の基本的な間取り配置等から一階ないし上階、地下等の各階層の平面形状および仕様等を設定してゆくものである。例えば、バス、トイレなどの各種部品を配置していく。
【００２９】
積算手段２２は、建物一棟に使用する部品を決定する。これを実現するツールとして、図２に示すように、平面図上にパレットツール７０が表示される。
パレットツール７０は、部品の種類に応じて分類された入力必須部品パレット７１と、未配置可部品パレット７２と、積算部品パレット７３と、を備えている。各パレットはタブで選択可能とされ、選択されたパレットの部品がリスト７４に一覧表示される。なお、前述の部品情報更新手段６０により更新された販売終了フラグもこのリスト７４に表示される。
また、パレットツール７０は、図３に示すように、各種機能を備えたメニューバー７５と、選択された部品の平面図を表示する表示欄７６と、追加ボタン７７１、変更ボタン７７２、削除ボタン７７３、配置ボタン７７４からなる各種ボタン７７と、選択された部品の金額を表示する金額表示欄７８と、をも備えている。
【００３０】
リスト７４は、選択されたパレットに応じて表示内容を変更するものであり、各部品が選択可能に一覧表示される。
入力必須部品パレット７１には、図３に示すように、建物に必ず配置される部品が一覧表示される。具体的には、ユニットバス、トイレ、キッチン、玄関ドアなどが挙げられる。入力必須部品パレット７１に属する部品は、図面に配置されていることを必須としている。
【００３１】
未配置可部品パレット７２には、図４に示すように、建物に通常配置される部品が数量とともに一覧表示される。具体的には、各種窓、設備部品、内外装部品などが挙げられる。未配置可部品パレット７２に属する部品は図面に配置されていなくてもよく、一棟当たりで配置されるであろう配置予定数量を入力することができる。なお、未配置可部品パレット７２に表示される部品の数量は図面に配置していない部品の数量であり、未配置可部品パレット７２に表示される部品が図面に配置されると、未配置可部品パレット７２に表示される部品の数量が減算される。
そして、後述する積算サブシステム３０においては、この未配置可部品パレット７２に入力された数量と、図面に配置された数量との両方が積算される。
【００３２】
積算部品パレット７３には、図５に示すように、図面に表れない部品が数量とともに一覧表示される。具体的には、壁紙、タイルなどが挙げられる。積算部品パレット７３に属する部品は、一棟当たりで使用される数量を入力することができる。
【００３３】
なお、各パレットに表示される部品情報は、記憶装置５１に記憶されており、各部品ごとの部品情報がリスト７４にそれぞれ表示される。
【００３４】
メニューバー７５は、ファイルメニュー７５１と、設定メニュー７５２と、ツールメニュー７５３と、を備え、各種設定を行うことができる。
表示欄７６は、リスト７４で選択されている部品の平面図を表示する。ただし、積算部品パレット７３が選択されているときは表示されない。
【００３５】
次に、各種ボタン７７について説明する。
追加ボタン７７１をクリックすると、選択中のパレットに新しい部品を追加することができる。入力必須部品パレット７１または未配置可部品パレット７２を選択しているときに追加ボタン７７１をクリックすると、図６に示すような部品階層メニュー８０が表示される。
部品階層メニュー８０は、各種部品がリスト８１に一覧表示されている。これらの部品は階層表示されており、親部品を選択すると、そこに属する子部品も全て選択されることになる。
そして、この部品階層メニュー８０の中から所望の部品を選択して確定ボタン８２を押すことで部品を追加することができる。一方、積算部品パレット７３を選択しているときに追加ボタン７７１をクリックすると、「品番入力」画面（図示しない）が表示され、積算部品の情報を入力して追加することができる。
変更ボタン７７２は、リスト７４で選択されている部品の属性を変更する。属性とは、該当部品が属しているパレットの種類であり、入力必須部品パレット７１、未配置可部品パレット７２、積算部品７３のいずれかである。
削除ボタン７７３は、リスト７４で選択されている部品を削除する。
さらに、変更ボタン７７２および削除ボタン７７３では数量を変更することもできる。
【００３６】
配置ボタン７７４は、リスト７４で選択されている部品を図面に配置する。
入力必須部品パレット７１が選択されているときに配置ボタン７７４がクリックされた場合のフロー図を図７に示す。
図７に示すように、リスト７４上の任意の部品が選択された状態で配置ボタン７７４がクリックされると（ステップＳ１１）、属性選択画面が表示される（ステップＳ１２）。属性を選択後、確認ボタン、閉じるボタン、再配置ボタンのいずれかを選択してクリックする（ステップＳ１３）。
確認ボタンを選択すると、該当部品を図面に配置することができる（ステップＳ１４）。
閉じるボタンを選択すると、処理を終了する（ステップＳ１５）。
再配置ボタンを選択すると、直前に配置した部品を図面から削除し（ステップＳ１６）、該当部品の再配置を行う（ステップＳ１７）。
そして、部品を図面配置すると、ステップＳ１２に戻り、次の部品について同様の処理を行う。
【００３７】
次に、未配置可部品パレット７２が選択されているときに配置ボタン７７４がクリックされた場合のフロー図を図８に示す。
図８に示すように、リスト７４上の任意の部品が選択された状態で配置ボタン７７４がクリックされると（ステップＳ２１）、数量が０か０より大きいかの確認を行う（ステップＳ２２）。
数量が０の場合は、その旨のメッセージを画面に表示して（ステップＳ２３）、処理を終了する。
数量が０より大きい場合は、属性選択画面が表示される（ステップＳ２４）。属性を選択後、確認ボタン、閉じるボタンのいずれかを選択してクリックする（ステップＳ２５）。
確認ボタンを選択すると、該当部品を図面に配置することができる（ステップＳ２６）とともに、該当部品の数量をマイナスしてパレット７２のリスト７４中の数量を減算して表示し（ステップＳ２７）、処理を終了する。
閉じるボタンを選択すると、処理を終了する。
【００３８】
積算部品パレット７３が選択されているときは配置ボタン７７４は無効となっているため、配置の処理は行われない。
なお、リスト７４に表示されている部品の行をダブルクリックすることでも配置の処理を行うことができる。この場合の処理の流れは前述と同様である。
【００３９】
また、未配置可部品パレット７２または積算部品パレット７３が選択されているときは、リスト７４上で、選択中の部品の数量を変更することができる。
【００４０】
金額表示欄７８には、選択中の部品の価格が表示される。
また、パレットツール７０には、選択したパレットに応じたコメントなどが表示される。
なお、積算手段２２では、記憶装置５１に登録済みのパレットを読み出して編集してもよいし、空のパレットから新しく作成してもよい。
【００４１】
パレット作成手段２３は、既存の図面から部品を読み込むことで、各パレットを作成することができる。そして、作成した各パレットを、建物仕様や設計条件ごとにモジュール化して記憶装置５１に記憶する。
既存の図面に基づいた各パレットの作成は、例えば、以下のようにして実行される。
【００４２】
図９に示すように、図面上の任意の部品１１１を選択し、マウスを右クリックすることによりプルダウンメニュー９０が表示される。
プルダウンメニュー９０は、パレットコピー（必須）コマンド９１と、パレットコピー（未配置）コマンド９２と、を含んで構成されている。
パレットコピー（必須）コマンド９１を選択すると、選択された部品１１１は入力必須部品パレット７１に追加される。
また、パレットコピー（未配置）コマンド９２を選択すると、選択された部品１１１は未配置可部品パレット７２に追加される。
なお、積算部品パレット７３に属する部品は図面に配置されないため、積算部品は、パレットツール７０において適宜追加される。
【００４３】
このようにして作成された入力必須部品パレット７１、未配置可部品パレット７２、積算部品パレット７３は、その建物仕様や設計条件ごとにモジュール化され、記憶装置５１に記憶される。
具体的には、前述のファイルメニュー７５１に、パレットを記憶装置５１に登録するための登録コマンドと、記憶装置５１に登録されているパレットを読み込むための読込コマンドと、が備えられている。そして、登録コマンドにより、モジュール化された各パレットが記憶装置５１に記憶される。また、記憶された各パレットは、将来、類似の建物仕様や設計条件の設計を行う際に読み出して編集することができる。その際には、読込コマンドにより記憶装置５１に記憶されたパレットを読み出すことができる。
【００４４】
［2.生産準備システム１２の構成］
図１に示すように、生産準備システム１２は、工場の生産設計者１５が基本設計システム１１により作成された基本設計情報１１Ａに基づいて建物の生産設計を行うものであり、生産設計に必要な各種の情報（基本設計で指定された各部品に関する詳細な情報および設計ルール等）を記憶する記憶装置１２Ｂと、この記憶装置１２Ｂに記憶された情報を読み込んで所望の建物を製造するために必要な生産設計情報１２Ａを入力作成する生産設計情報入力手段１２Ｃと、を備えて構成されている。
この生産準備システム１２は、生産設計者１５が操作して基本設計情報１１Ａの内容を具体的に展開し、工場生産等に必要な個々の部品の詳細な部品図、その組み立てを示す組立図、生産および施工に関する工程図（作業の指示や作業途中の状態の図示等を含むマニュアル）などを生産設計情報１２Ａとして作成するものである。
そして、生産設計情報１２Ａに基づいて作成された部品の発注書と、該当する部品の情報を記載した積算リストとが出力される。
【００４５】
[3.本実施形態の作用効果]
以上に述べた本実施形態においては次に示す効果がある。
（１）積算手段２２では、未配置可部品パレット７２において、図面に配置されていない部品の数量を入力することができる。そして、未配置可部品パレット７２に一覧表示される部品の数量と、図面に配置された部品の数量との両方が積算されるので、図面を完成させなくとも、より正確に積算することができる。
したがって、設計の初期段階で詳細に図面を作成する必要がないうえに、積算漏れもなく、短時間で簡単に見積書を作成することができる。すなわち、設計の初期段階からより正確な見積書を施主１３に対して提示することができる。
そして、初期段階で図面を完成させなくてもよいため、その後の変更作業などに時間を費やす必要がない。すなわち、設計作業の効率化を図ることができる。
【００４６】
また、積算手段２２のパレットツール７０では、未配置可部品パレット７２に属する部品を配置ボタン７７４により図面に配置すると、未配置可部品パレット７２に入力されている数量が減算される。一方、図面にある部品を未配置可部品パレット７２に追加すると、未配置可部品パレット７２のリスト７４に新しい部品が追加される。すでに同じ部品が登録済みであれば、数量をプラスする。
したがって、未配置可部品パレット７２にある部品は、図面に配置する数量と配置していない数量との同期がとれているため、より正確に積算することができる。
【００４７】
（２）積算手段２２で作成した各パレットは、建物仕様や設計条件ごとにモジュール化され、記憶装置５１に記憶されるので、将来、類似の仕様や設計条件の建物を設計する際には、そのパレットを記憶装置５１から読み出すことができる。
したがって、読み込んだパレットを基にして設計を開始できるので、短時間で設計することができ、設計作業の効率化を図ることができる。
【００４８】
（３）パレット作成手段２３では、図面から各パレットを作成することができるので、これまでに作成した図面に対しても積算手段２２を適用することができる。
したがって、既存の図面に対してもより正確に積算することができ、より正確な見積書を作成することができる。
また、積算手段２２で作成した各パレットを、建物仕様や設計条件ごとにモジュール化して記憶装置５１に記憶するので、将来、類似の建物仕様や設計条件のパレットを設計する際には、登録済みの各パレットを読み出して再利用することができる。したがって、設計作業を効率的に進めることができる。
【００４９】
（４）積算情報表示手段３１で作成された積算リストには、未配置可部品パレット７２に属し、かつ、図面に配置されていない部品に対して未配置フラグを表示するので、どの部品が未配置であるかを一目で確認することができる。
したがって、どれだけの部品が未配置であるかをすぐに確認でき、設計の進捗状況を簡単に把握することができる。また、次回設計する際には、未配置フラグが表示された部品を図面に配置すればよいので、効率よく設計を進めることができる。
【００５０】
（５）見積手段４１で作成された見積書には、図面に配置されていない部品も積算される。
したがって、設計段階の早いうちでも施主に対してより正確な見積書を提示することができるため、今後の設計をスムーズに進めることができる。
【００５１】
（６）部品情報更新手段６０により、記憶装置５１に記憶されている部品情報を更新することができる。なお、積算手段２２であるパレットツール７０の各パレットには、部品情報が表示される。
したがって、積算手段２２で最新の部品情報を参照することができるので、設計を効率よく進めることができる。
【００５２】
なお、本発明は前述の実施形態に限定されるものではなく、本発明の目的を達成できる範囲での変形、改良等は本発明に含まれるものである。
【産業上の利用可能性】
【００５３】
本発明は、建物の設計に用いるＣＡＤシステムに利用できる。
【図面の簡単な説明】
【００５４】
【図１】本発明の一実施形態にかかるＣＡＤシステムの構成を示すブロック図。
【図２】前記実施形態の外部装置に表示された画像を示す図。
【図３】前記実施形態の積算手段での操作方法の第一説明図。
【図４】前記実施形態の積算手段での操作方法の第二説明図。
【図５】前記実施形態の積算手段での操作方法の第三説明図。
【図６】前記実施形態の積算手段での操作方法の第四説明図。
【図７】前記実施形態の配置ボタンが押された場合のフローチャート。
【図８】前記実施形態の配置ボタンが押された場合のフローチャート。
【図９】前記実施形態の図面作成手段での操作方法の第一説明図。
【符号の説明】
【００５５】
１０      ＣＡＤシステム
１１      基本設計システム
１２      生産準備システム
２０      意匠設計サブシステム
２１      図面作成手段
２２      積算手段
２３      パレット作成手段
３０      積算サブシステム
３１      積算情報表示手段
４０      業務サブシステム
４１      見積手段
５０      記憶装置
７０      パレットツール
７１      入力必須部品パレット
７２      未配置可部品パレット
７３      積算部品パレット
【図１】
0004926923.tif 000002
【図２】
0004926923.tif 000003
【図３】
0004926923.tif 000004
【図４】
0004926923.tif 000005
【図５】
0004926923.tif 000006
【図６】
0004926923.tif 000007
【図７】
0004926923.tif 000008
【図８】
0004926923.tif 000009
【図９】
0004926923.tif 000010